【手続補正書】
【提出日】平成15年12月9日(2003.12.9)
【手続補正１】
【補正対象書類名】明細書
【補正対象項目名】発明の名称
【補正方法】変更
【補正の内容】
【発明の名称】撮像ユニット及びプログラム
【手続補正２】
【補正対象書類名】明細書
【補正対象項目名】特許請求の範囲
【補正方法】変更
【補正の内容】
【特許請求の範囲】
【請求項１】
情報処理装置において使用するための画像を撮像する撮像ユニットであって、前記撮像ユニットにより撮像した画像のディジタル信号を異なる画像信号の形式に変換するための書き換え可能な変換テーブルを有し、前記変換テーブルを前記情報処理装置上で動作するプログラムで用いることを特徴とする撮像ユニット。
【請求項２】
前記変換テーブルは撮像した画像のディジタル信号を色番号と赤，緑，青の信号値との組み合わせから構成されるパレットの色番号に変換する変換テーブルに書き換え可能であることを特徴とする請求項１に記載の撮像ユニット。
【請求項３】
前記変換テーブルは撮像した画像のディジタル信号を赤の信号成分５ビット、緑の信号成分５ビット、青の信号成分５ビットで構成されるパレットの信号に変換する変換テーブルに書き換え可能であることを特徴とする請求項１に記載の撮像ユニット。
【請求項４】
前記プログラムはパレットの要素の一部あるいは全部を変えたときに変換テーブルを計算して前記変換テーブルを書き換えることを特徴とする請求項２または３記載のユニット。
【請求項５】
前記プログラムはユーザーからの指示入力により前記パレットの要素の一部あるいは全部を変えることを特徴とする請求項４記載の撮像ユニット。
【請求項６】
前記プログラムは、室内の撮像条件あるいは屋外の撮像条件に設定されたときに前記パレットの要素の一部あるいは全部を変えることを特徴とする請求項５記載の撮像ユニット。
【請求項７】
前記プログラムは文書を撮像する条件に設定されたときに前記パレットの要素の一部あるいは全部を変えることを特徴とする請求項５記載の撮像ユニット。
【請求項８】
前記プログラムは前記パレットの要素をグレースケールの色に変えることを特徴とする請求項７記載の撮像ユニット。
【請求項９】
前記プログラムは室内の撮像条件の設定に切り替わったと推測したときあるいは屋外の撮像条件の設定に切り替わったと推測したときにパレットの要素の一部あるいは全部を変えることを特徴とする請求項４記載の撮像ユニット。
【請求項１０】
情報処理装置上で使用されるプログラムであって、撮像ユニットが有する、前記撮像ユニットにより撮像した画像のディジタル信号を異なる画像信号の形式に変換するための書き換え可能な変換テーブルを前記情報処理装置上で用いることを特徴とするプログラム。
【請求項１１】
前記変換テーブルは撮像した画像のディジタル信号を色番号と赤，緑，青の信号値との組み合わせから構成される前記パレットの色番号に変換する変換テーブルに書き換え可能であることを特徴とする請求項１０に記載のプログラム。
【請求項１２】
前記変換テーブルは撮像した画像のディジタル信号を赤の信号成分５ビット、緑の信号成分５ビット、青の信号成分５ビットで構成されるパレットの信号に変換する変換テーブルに書き換え可能であることを特徴とする請求項１０または１１に記載のプログラム。
【請求項１３】
前記プログラムは前記パレットの要素の一部あるいは全部を変えたときに前記変換テーブルを計算して前記変換テーブルを書き換えることを特徴とする請求項１１または１２に記載のプログラム。
【請求項１４】
前記プログラムはユーザーからの指示入力により前記パレットの要素の一部あるいは全部を変えることを特徴とする請求項１３記載のプログラム。
【請求項１５】
前記プログラムは、室内の撮像条件あるいは屋外の撮像条件に設定されたときに前記パレットの要素の一部あるいは全部を変えることを特徴とする請求項１４に記載のプログラム。
【請求項１６】
前記プログラムは文書を撮像する条件に設定されたときに前記パレットの要素の一部あるいは全部を変えることを特徴とする請求項１５記載の撮像プログラム。
【請求項１７】
前記プログラムは前記パレットの要素をグレースケールの色に変えることを特徴とする請求項１６に記載のプログラム。
【請求項１８】
前記プログラムは室内の撮像条件の設定に切り替わったと推測したときあるいは屋外の撮像条件の設定に切り替わったと推測したときに前記パレットの要素の一部あるいは全部を変えることを特徴とする請求項１４に記載のプログラム。
【手続補正３】
【補正対象書類名】明細書
【補正対象項目名】０００１
【補正方法】変更
【補正の内容】
【０００１】
【発明の属する技術分野】
本発明は、コンピュータ等の情報処理装置において使用される撮像ユニット及び前記情報処理装置上で使用されるプログラムに関するものである。


【手続補正４】
【補正対象書類名】明細書
【補正対象項目名】００１９
【補正方法】変更
【補正の内容】
【００１９】
本発明は、上記のような従来の問題点を解消するためになされたもので、物理的に一つの変換テーブルで複数の信号形式へ変換することができ、回路面積の縮小を図ることが可能な撮像ユニット及びプログラムを提供することを目的としている。


【手続補正５】
【補正対象書類名】明細書
【補正対象項目名】００２０
【補正方法】変更
【補正の内容】
【００２０】
また本発明は、できるだけ撮像画像の実際の色とパレット形式で表現されたときの代用の色との差を小さくすることが可能な撮像ユニット及びプログラムを提供することを目的としている。


【手続補正６】
【補正対象書類名】明細書
【補正対象項目名】００２１
【補正方法】変更
【補正の内容】
【００２１】
また本発明は、パレットの色の形式で文書や名刺を撮影するときに、解像度を高くして、文字を読みやすくすることができる撮像ユニット及びプログラムを提供することを目的としている。


【手続補正７】
【補正対象書類名】明細書
【補正対象項目名】００２２
【補正方法】変更
【補正の内容】
【００２２】
【課題を解決するための手段】
本発明に係る撮像ユニットは、情報処理装置において使用される画像を撮像する撮像ユニットであって、前記撮像ユニットにより撮像した画像のディジタル信号を異なる画像信号の形式に変換するための書き換え可能な変換テーブルを有し、前記変換テーブルを前記情報処理装置上で動作するプログラムで用いることを特徴とする。


【手続補正８】
【補正対象書類名】明細書
【補正対象項目名】００２３
【補正方法】変更
【補正の内容】
【００２３】
本発明に係るプログラムは、情報処理装置上で使用されるプログラムであって、撮像ユニットが有する前記撮像ユニットにより撮像した画像のディジタル信号を異なる画像信号の形式に変換するための書き換え可能な変換テーブルを情報処理装置上で用いることを特徴とする。
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００７６
【補正方法】変更
【補正の内容】
【００７６】
以上説明したように、本発明によれば、撮像ユニットにより撮像した画像のディジタル信号を異なる画像信号の形式に変換する書き換え可能な変換テーブルを持つことによって、物理的に一つの変換テーブルで複数の信号形式へ変換する手段を提供することができる。